(57)【要約】【課題】端末が無線通信で接続する基地局の無線資源使用率を高精度に推定できる基地局負荷推定装置を提供する。【解決手段】基地局負荷推定装置１０は、基地局が有する所定の無線資源のうち基地局から送信された信号に含まれるデータ信号と制御信号の送信に使用された無線資源の割合である第１使用率を用いて所定の無線資源のうち制御信号の送信に使用された無線資源の割合である第２使用率を計算する第１計算部１１と、第１使用率と計算された第２使用率とを用いて所定の無線資源のうちデータ信号の送信に使用された無線資源の割合を計算する第２計算部１２とを備える。【選択図】図１０
2019087784.tif 000002
【特許請求の範囲】
【請求項１】
基地局が有する所定の無線資源のうち前記基地局から送信された信号に含まれるデータ信号と制御信号の送信に使用された無線資源の割合である第１使用率を用いて前記所定の無線資源のうち前記制御信号の送信に使用された無線資源の割合である第２使用率を計算する第１計算部と、
第１使用率と計算された第２使用率とを用いて前記所定の無線資源のうち前記データ信号の送信に使用された無線資源の割合を計算する第２計算部とを備える
ことを特徴とする基地局負荷推定装置。
【請求項２】
基地局と無線通信を行う通信部と、
前記通信部が受信した信号の全電力の値と前記信号に含まれる参照信号および干渉雑音の電力の値とを用いて第１使用率を計算する第３計算部とを備える
請求項１記載の基地局負荷推定装置。
【請求項３】
第２計算部は、所定の無線資源であるシンボルにおける制御信号用の物理チャネルに割り当てられたリソースエレメント数とデータ信号用の物理チャネルに割り当てられたリソースエレメント数との比率を用いて前記所定の無線資源のうち前記データ信号の送信に使用された無線資源の割合を計算する
請求項１または請求項２記載の基地局負荷推定装置。
【請求項４】
第１計算部は、データ信号量が最大であるときの第１使用率を用いて第２使用率を計算する
請求項１から請求項３のうちのいずれか１項に記載の基地局負荷推定装置。
【請求項５】
基地局が有する所定の無線資源のうち前記基地局から送信された信号に含まれるデータ信号と制御信号の送信に使用された無線資源の割合である第１使用率を用いて前記所定の無線資源のうち前記制御信号の送信に使用された無線資源の割合である第２使用率を計算し、
第１使用率と計算された第２使用率とを用いて前記所定の無線資源のうち前記データ信号の送信に使用された無線資源の割合を計算する
ことを特徴とする基地局負荷推定方法。
【請求項６】
コンピュータに、
基地局が有する所定の無線資源のうち前記基地局から送信された信号に含まれるデータ信号と制御信号の送信に使用された無線資源の割合である第１使用率を用いて前記所定の無線資源のうち前記制御信号の送信に使用された無線資源の割合である第２使用率を計算する第１計算処理、および
第１使用率と計算された第２使用率とを用いて前記所定の無線資源のうち前記データ信号の送信に使用された無線資源の割合を計算する第２計算処理
を実行させるための基地局負荷推定プログラム。
【請求項７】
基地局と無線通信を行う端末と、前記基地局と通信可能に接続されている通信装置とを含む基地局負荷推定システムであって、
前記端末は、
前記基地局が有する所定の無線資源のうち前記基地局から送信された信号に含まれるデータ信号と制御信号の送信に使用された無線資源の割合である第３使用率を計算する第４計算部と、
計算された第３使用率を前記通信装置に送信する端末通信部と、
第３使用率と前記所定の無線資源のうち前記制御信号の送信に使用された無線資源の割合である第４使用率とを用いて前記所定の無線資源のうち前記データ信号の送信に使用された無線資源の割合を計算する第５計算部とを有し、
前記通信装置は、
送信された第３使用率を用いて第４使用率を計算する第６計算部と、
計算された第４使用率を前記端末に送信する通信部とを有する
ことを特徴とする基地局負荷推定システム。
【請求項８】
端末通信部は、基地局と無線通信を行い、
第４計算部は、前記端末通信部が受信した信号の全電力の値と前記信号に含まれる参照信号および干渉雑音の電力の値とを用いて第３使用率を計算する
請求項７記載の基地局負荷推定システム。
【請求項９】
第６計算部は、データ信号量が最大であるときの第３使用率を用いて第４使用率を計算する
請求項７または請求項８記載の基地局負荷推定システム。
【請求項１０】
第６計算部は、データ信号量が最小であるときの第３使用率を用いて第４使用率を計算する
請求項７から請求項９のうちのいずれか１項に記載の基地局負荷推定システム。
【発明の詳細な説明】
【技術分野】
【０００１】
本発明は、基地局負荷推定装置、基地局負荷推定方法、基地局負荷推定プログラムおよび基地局負荷推定システムに関し、特に無線基地局の無線資源使用率を推定する基地局負荷推定装置、基地局負荷推定方法、基地局負荷推定プログラムおよび基地局負荷推定システムに関する。
【背景技術】
【０００２】
スマートフォンやタブレット端末等のいわゆるスマートデバイスの普及や、インターネットサービスの利用の増加により、移動通信トラヒックが増えている。移動通信トラヒックは、将来に渡って継続して増加することが予測されている。
【０００３】
モバイル通信では、使用可能な無線周波数資源（以下、単に無線資源ともいう。）が限られている。使用可能な無線資源が最初から限られているため、基地局と端末との間の無線リンクの通信性能が、モバイル通信で提供されるインターネットサービスの品質を決定する主な要因になる可能性が高い。
【０００４】
使用可能な無線資源が限られているという問題に対して、例えば、非特許文献１には、オフピークデータ転送技術が記載されている。非特許文献１に記載されているオフピークデータ転送技術は、コンテンツダウンロード等の高い即時性が求められないインターネットサービスの処理を、基地局の無線資源が不足している時間帯から、基地局の無線資源が余っている時間帯に移動させる技術である。
【０００５】
非特許文献１に記載されているオフピークデータ転送技術では、端末が無線接続する基地局の無線資源の使用率を推定する。次いで、端末は、無線資源の使用率の推定値を基準に、高い即時性が求められないサービスのトラヒックの通信タイミングを制御する。
【０００６】
非特許文献１に記載されているオフピークデータ転送技術が使用されると、Webブラウジング等の高い即時性が求められるサービスのトラヒックの通信品質が低下しないまま、無線資源が不足している時間が削減される。
【０００７】
また、非特許文献１に記載されているオフピークデータ転送技術が使用されると、高い即時性が求められないサービスのトラヒックの通信の優先度は下げられるが、高い即時性が求められないサービスを受けるユーザが感じるサービスの品質は、大きくは低下しない。よって、オフピークデータ転送技術が使用されると、様々なインターネットサービスを受けるユーザが感じるサービスの品質は、総合的に向上する。
【０００８】
サービスの品質をより高めるために、単に高い即時性が求められるサービスのトラヒックを高い即時性が求められないサービスのトラヒックよりも優先的に転送するだけでなく、高い即時性が求められないサービスのトラヒックの通信の遅延時間も削減することが考えられる。
【０００９】
高い即時性が求められないサービスのトラヒックの通信の遅延時間が低減するようにトラヒックが転送されると、ユーザが感じるサービスの品質は、総合的により向上する。トラヒックの通信の遅延時間を低減させるためには、データ転送に使用可能な無線資源のうち、高い即時性が求められる通信で使用されていない無線資源の量を高い精度で推定することが求められる。
【００１０】
以下、LTE(Long Term Evolution)（登録商標）における無線資源の端末への割当方法を説明する。LTEでは、基地局に接続するUE(User Equipment)に対して、時間軸と周波数軸の両方で分割された無線資源が割り当てられる。
【００１１】
時間軸における1msごとに区切られた時間区間の無線資源をサブフレームと呼ぶ。また、時間軸における0.5msごとに区切られた時間区間の無線資源をスロットと呼ぶ。すなわち、１つのサブフレームは、２つのスロットで構成されている。また、１つのスロットには、７つのシンボルが存在する。
【００１２】
また、周波数軸における15kHzごとに区切られた周波数区間の無線資源をサブキャリアと呼ぶ。また、１つのスロットと１２のサブキャリアで区切られた無線資源を、RB(Resource Block)と呼ぶ。また、１つのシンボルと１つのサブキャリアで区切られた無線資源を、RE(Resource Element)と呼ぶ。
【００１３】
信号を伝送するための物理チャネルは、REにマッピングされる。制御信号を伝送する物理チャネルがマッピングされるREと、データ信号を伝送するPDSCH(Physical downlink shared channel)がマッピングされるREは異なる。なお、制御信号を伝送する物理チャネルは、PCFICH(Physical control format indicator channel)、PDCCH(Physical downlink control channel)、PHICH(Physical hybrid ARQ indicator channel)等である。
【００１４】
LTEでは、サブフレーム毎に、スケジューリングで選択されたUEへ、RB単位でPDSCHが割り当てられる。例えば、非特許文献１に記載されているオフピークデータ転送技術は、基地局が割り当て可能なRB数に対する、端末に割り当てられたPDSCHに対応するRBの数をRB使用率と算出している。
【００１５】
RB使用率は、データ転送に使用された無線資源の量を表す。すなわち、RB使用率が把握されると、データ転送に使用可能な無線資源の余剰量が判明する。また、RB使用率は、基地局にかかっている負荷の度合いを表す。
【００１６】
無線端末が接続する基地局のRB使用率を推定する方法として、通信を実行せずに無線端末で測定可能な電波指標値を基にRB使用率を推定する方法が検討されている。
【００１７】
例えば、特許文献１には、全受信電力と、参照信号の信号対干渉雑音比が用いられたRB使用率の推定方式が記載されている。特許文献１に記載されている推定方式は、無線基地局が無線端末に対して送信するデータ量が増加するほど、無線基地局の送信電力が増加するという特徴を用いている。
【００１８】
また、特許文献１に記載されている推定方式では、参照信号を送信しないREのうち他の信号を送信可能なREには全て、データ信号を送信する物理チャネルがマッピングされていると仮定されている。
【００１９】
上記の仮定に基づいて、特許文献１に記載されている推定方式は、無線端末の全受信電力から参照信号と干渉雑音の電力成分を差し引くことによって、データ信号の電力成分を算出する。算出されたデータ信号の電力成分を用いて、特許文献１に記載されている推定方式は、RB使用率を推定している。
【００２０】
なお、他の信号を送信不可能なREを以下に説明する。基地局の送信アンテナが複数である場合、基地局におけるREは、以下の４種類に分類される。
【００２１】
・参照信号を含むRE
・データ信号を伝送するチャネルに割り当てられたRE
・制御信号を伝送するチャネルに割り当てられたRE
・信号伝送に使用されないRE
【００２２】
送信アンテナが複数の基地局は、送信対象のデータを複数に分割し、分割されたデータを含む信号を各アンテナから送信する。端末は、基地局から送信される信号同士が重畳された信号を受信する。
【００２３】
所定のアンテナから参照信号が送信されるとき、参照信号と他の信号とが重畳された信号を端末が受信しないように、基地局は、参照信号が送信される時刻に、参照信号の周波数と同一周波数の信号を他のアンテナから送信しない。
【００２４】
すなわち、他の信号を送信不可能なREは、送信アンテナが複数の基地局における無線資源のうち、送信アンテナから参照信号が送信されているときの、参照信号の周波数と同一周波数の信号の伝送に使用されるREである。
【先行技術文献】
【特許文献】
【００２５】
【特許文献１】国際公開第２０１４／１８５０４８号
【非特許文献】
【００２６】
【非特許文献１】鈴木 敬之、高橋 英士、太田 大輔、大西 健夫、里田 浩三、“端末で測定したRSRQとSINRに基づくLTE基地局負荷推定方式、”信学技報、July 2016、vol.116、no.147、RCS2016-103、p.53-58．
【発明の概要】
【発明が解決しようとする課題】
【００２７】
特許文献１に記載されているRB使用率の推定方式における課題は、RB使用率の推定精度が低いことである。
【００２８】
特許文献１に記載されているRB使用率の推定方式は、参照信号を送信しないREのうち他の信号を送信可能なREには全て、データ信号を送信する物理チャネルがマッピングされていると仮定した上で、RB使用率を推定する。
【００２９】
しかし、参照信号を送信しないREの中には、制御信号を送信する物理チャネルがマッピングされているREも存在する。よって、特許文献１に記載されているRB使用率の推定方式は、制御信号の無線資源使用率とデータ信号の無線資源使用率とが一致する場合を除いて制御信号の無線資源使用率を推定できないため、RB使用率を高精度に推定できない。
【００３０】
制御信号の無線資源使用率は、制御信号を送信する物理チャネルがマッピングされているREの数に対する、制御信号を送信するREの数の割合に相当する。同様に、データ信号の無線資源使用率は、データ信号を送信する物理チャネルがマッピングされているREの数に対する、データ信号を送信するREの数の割合に相当する。
【００３１】
従って、RB使用率の推定精度を高めるためには、データ信号の無線資源使用率だけでなく、制御信号の無線資源使用率も把握することが求められる。
【００３２】
［発明の目的］
そこで、本発明は、上述した課題を解決する、端末が無線通信で接続する基地局の無線資源使用率を高精度に推定できる基地局負荷推定装置、基地局負荷推定方法、基地局負荷推定プログラムおよび基地局負荷推定システムを提供することを目的とする。
【課題を解決するための手段】
【００３３】
本発明による基地局負荷推定装置は、基地局が有する所定の無線資源のうち基地局から送信された信号に含まれるデータ信号と制御信号の送信に使用された無線資源の割合である第１使用率を用いて所定の無線資源のうち制御信号の送信に使用された無線資源の割合である第２使用率を計算する第１計算部と、第１使用率と計算された第２使用率とを用いて所定の無線資源のうちデータ信号の送信に使用された無線資源の割合を計算する第２計算部とを備えることを特徴とする。
【００３４】
本発明による基地局負荷推定方法は、基地局が有する所定の無線資源のうち基地局から送信された信号に含まれるデータ信号と制御信号の送信に使用された無線資源の割合である第１使用率を用いて所定の無線資源のうち制御信号の送信に使用された無線資源の割合である第２使用率を計算し、第１使用率と計算された第２使用率とを用いて所定の無線資源のうちデータ信号の送信に使用された無線資源の割合を計算することを特徴とする。
【００３５】
本発明による基地局負荷推定プログラムは、コンピュータに、基地局が有する所定の無線資源のうち基地局から送信された信号に含まれるデータ信号と制御信号の送信に使用された無線資源の割合である第１使用率を用いて所定の無線資源のうち制御信号の送信に使用された無線資源の割合である第２使用率を計算する第１計算処理、および第１使用率と計算された第２使用率とを用いて所定の無線資源のうちデータ信号の送信に使用された無線資源の割合を計算する第２計算処理を実行させることを特徴とする。
【００３６】
本発明による基地局負荷推定システムは、基地局と無線通信を行う端末と、基地局と通信可能に接続されている通信装置とを含む基地局負荷推定システムであって、端末は、基地局が有する所定の無線資源のうち基地局から送信された信号に含まれるデータ信号と制御信号の送信に使用された無線資源の割合である第３使用率を計算する第４計算部と、計算された第３使用率を通信装置に送信する端末通信部と、第３使用率と所定の無線資源のうち制御信号の送信に使用された無線資源の割合である第４使用率とを用いて所定の無線資源のうちデータ信号の送信に使用された無線資源の割合を計算する第５計算部とを有し、通信装置は、送信された第３使用率を用いて第４使用率を計算する第６計算部と、計算された第４使用率を端末に送信する通信部とを有することを特徴とする。
【発明の効果】
【００３７】
本発明によれば、端末が無線通信で接続する基地局の無線資源使用率を高精度に推定できる。
【図面の簡単な説明】
【００３８】
【図１】本発明による無線通信システムの第１の実施形態の構成例を示す説明図である。
【図２】無線資源使用率推定装置１００の構成例を示すブロック図である。
【図３】基地局２００の送信アンテナ数が１である場合の信号配置の例を示す説明図である。
【図４】第１の実施形態の無線資源使用率推定装置１００によるRB使用率推定処理の動作を示すフローチャートである。
【図５】本発明による無線資源使用率推定装置のハードウェア構成例を示す説明図である。
【図６】本発明による無線通信システムの第２の実施形態の構成例を示す説明図である。
【図７】第１無線資源使用率推定装置１０１の構成例と第２無線資源使用率推定装置５００の構成例を示すブロック図である。
【図８】第２の実施形態の第１無線資源使用率推定装置１０１によるRB使用率推定処理の動作を示すフローチャートである。
【図９】第２の実施形態の第２無線資源使用率推定装置５００による無線資源使用率推定処理の動作を示すフローチャートである。
【図１０】本発明による基地局負荷推定装置の概要を示すブロック図である。
【図１１】本発明による基地局負荷推定システムの概要を示すブロック図である。
【発明を実施するための形態】
【００３９】
以下、本発明の実施形態を、図面を参照して説明する。なお、以下に説明する複数の実施形態の主な適用対象は、LTEおよびLTE-Advancedである。
【００４０】
しかし、各実施形態の適用対象は、LTEおよびLTE-Advancedに限定されない。各実施形態は、他のモバイル通信ネットワークやモバイル通信システムに適用されてもよい。
【００４１】
例えば、各実施形態は、3GPP(3rd Generation Partnership Project)（登録商標）が策定したUMTS(Universal Mobile Telecommunications System)や、3GPP2が策定したCDMA(Code Division Multiple Access)2000（登録商標）システムに適用されてもよい。
【００４２】
また、各実施形態は、GSM(Global System for Mobile communications)（登録商標）、GPRS(General Packet Radio Service)システム、WiMAX(Worldwide Interoperability for Microwave Access)（登録商標）システム、またはモバイルWiMAXシステムに適用されてもよい。
【００４３】
実施形態１．
［構成の説明］
図１は、本発明による無線通信システムの第１の実施形態の構成例を示す説明図である。図１に示すように、本実施形態の無線通信システム１０００は、無線資源使用率推定装置１００と、基地局２００と、通信ネットワーク３００と、コンテンツ配信サーバ４００とを含む。
【００４４】
図１に示すように、無線資源使用率推定装置１００は、無線通信で基地局２００と通信可能に接続している。また、無線資源使用率推定装置１００は、基地局２００および通信ネットワーク３００を介して、コンテンツ配信サーバ４００と通信可能に接続している。
【００４５】
本実施形態の無線資源使用率推定装置１００は、基地局２００の無線資源使用率を推定する。推定された無線資源使用率が低いときにのみコンテンツ配信サーバ４００にコンテンツの配信を要求するメッセージを送信することによって、無線資源使用率推定装置１００は、コンテンツを無線資源使用のオフピーク時にダウンロードするオフピーク転送技術を実現できる。
【００４６】
図２は、無線資源使用率推定装置１００の構成例を示すブロック図である。図２に示すように、本実施形態の無線資源使用率推定装置１００は、無線通信部１１０と、第１無線資源使用率推定部１２０と、最大値抽出部１３０と、第２無線資源使用率推定部１４０と、RB使用率推定部１５０とを有する。
【００４７】
無線通信部１１０は、基地局２００と無線通信で接続する。無線通信部１１０は、基地局２００から受信した信号を用いて、以下の第１品質指標、第２品質指標をそれぞれ測定する機能を有する。
【００４８】
無線通信部１１０が測定する第１品質指標は、受信された信号の全電力の値である全受信電力が用いられて測定される無線通信の品質の指標である。第１品質指標として、例えばRSSI(Received Signal Strength Indicator)や、RSRQ(Reference Signal Received Quality)が使用される。
【００４９】
また、無線通信部１１０が測定する第２品質指標は、参照信号の信号対干渉雑音比が用いられて測定される無線通信の品質の指標である。第２品質指標として、例えばSINR(Signal to Interference plus Noise Ratio)が使用される。
【００５０】
第１無線資源使用率推定部１２０は、無線通信部１１０で測定された第１品質指標と第２品質指標とに基づいて、データ信号と制御信号の無線資源使用率u1を推定する機能を有する。
【００５１】
無線端末で受信された信号の全受信電力から参照信号と干渉雑音の電力成分が差し引かれると、データ信号と制御信号の電力成分が算出される。第１無線資源使用率推定部１２０は、算出されたデータ信号と制御信号の電力成分を基に、データ信号と制御信号の無線資源使用率u1を推定する。
【００５２】
データ信号と制御信号の無線資源使用率u1を推定する際、第１無線資源使用率推定部１２０は、非特許文献１に記載されている以下の式（１）、式（２）、または式（３）のいずれかを用いてu1を推定してもよい。
【００５３】
【数１】
2019087784.tif 000003
【００５４】
また、第１無線資源使用率推定部１２０は、式（１）、式（２）、式（３）それぞれにRSRQ = NRB・RSRP/RSSIを代入することによって得られた、以下の式（４）、式（５）、または式（６）のいずれかを用いてu1を推定してもよい。
【００５５】
【数２】
2019087784.tif 000004
【００５６】
なお、NRBは、基地局２００の対象のシステム帯域幅におけるRBの総数を表す。また、数式中の「・」および「/」は、それぞれ乗算、除算を表す。
【００５７】
なお、第１無線資源使用率推定部１２０は、式（１）〜式（６）以外の推定式を用いてu1を推定してもよい。例えば、第１無線資源使用率推定部１２０は、リソースブロック構造に応じて予め定められた推定式を用いてu1を推定してもよい。
【００５８】
最大値抽出部１３０は、第１無線資源使用率推定部１２０が算出したデータ信号と制御信号の無線資源使用率u1の集合から、データ信号量が最大のときのu1であるu1(max)を抽出する機能を有する。
【００５９】
以下、最大値抽出部１３０によるu1(max)の抽出の具体例を、図３を参照して説明する。図３は、基地局２００の送信アンテナ数が１である場合の信号配置の例を示す説明図である。
【００６０】
図３は、送信アンテナ数が１である場合に、周波数軸と時間軸とで分割されて送信される信号の配置を示す。なお、送信アンテナ数が２以上である場合も、図３に示す信号と同様に各送信アンテナから周波数軸と時間軸とで分割された信号が送信される。
【００６１】
無線通信部１１０が測定する第１品質指標の測定対象のシンボルは、LTEの場合、各サブフレームの#0シンボル、#4シンボル、#7シンボル、および#11シンボルの４つのシンボルである。
【００６２】
４つのシンボルのうちの#0シンボルは、図３に示すように、制御信号を送信する物理チャネルであるPCFICH、PDCCH、PHICHに割り当てられている。また、#4シンボル、#7シンボル、#11シンボルの３つのシンボルは、図３に示すように、データ信号を送信する物理チャネルであるPDCCHに割り当てられている。
【００６３】
よって、各REの信号の送信電力が等しいと仮定すると、無線通信部１１０が測定する第１品質指標の測定対象の無線資源の送信電力に含まれる制御信号の電力成分とデータ信号の電力成分の比は、「１：３」になる。
【００６４】
本例におけるデータ信号と制御信号の無線資源使用率u1は、制御信号の電力成分と、データ信号の電力成分が「１：３」の割合で混合された電力成分を基に推定された値である。よって、データ信号と制御信号の無線資源使用率u1と、制御信号の無線資源使用率u2と、データ信号の無線資源使用率であるRB使用率uRBとの間には、以下の関係が成立する。
【００６５】
u1 = u2・1/4 + uRB・3/4  ・・・式（７）
【００６６】
式（７）より、データ信号量が最大の場合、データ信号量が最大のときのu1であるu1(max)は、以下のように計算される。
【００６７】
u1(max) = u2・1/4 + 3/4   ・・・式（８）
【００６８】
制御信号の無線資源使用率u2は、0以上1以下の値である。よって、式（８）より、u1(max)は、0.75以上1以下の値になる。最大値抽出部１３０は、例えば0.75以上1以下の範囲で頻出するデータ信号と制御信号の無線資源使用率u1をu1(max)と推定する。
【００６９】
最大値抽出部１３０は、上記のように推定したu1(max)を抽出する。なお、最大値抽出部１３０が抽出するu1(max)は、所定の時間区間で算出された0.75以上1以下の範囲におけるu1の最頻値でもよい。また、u1(max)は、0.75以上1以下の範囲におけるu1の中央値でもよい。また、u1(max)は、0.75以上1以下の範囲におけるu1の平均値、最大値、または上位5％の中央値のいずれかでもよい。
【００７０】
第２無線資源使用率推定部１４０は、最大値抽出部１３０が抽出したu1(max)を基に、制御信号の無線資源使用率u2を推定する機能を有する。
【００７１】
例えば、式（８）をu2に関して解くと、以下の式（９）が導出される。第２無線資源使用率推定部１４０は、式（９）を用いてu2を推定できる。
【００７２】
u2 = 4・u1(max) − 3  ・・・式（９）
【００７３】
RB使用率推定部１５０は、データ信号と制御信号の無線資源使用率u1と、制御信号の無線資源使用率u2とを基に、RBの使用率uRBを推定する機能を有する。RB使用率推定部１５０は、例えば式（７）に推定されたu1と推定されたu2を代入し、uRBに関して解くことによって、uRBを推定できる。
【００７４】
［動作の説明］
以下、本実施形態の無線資源使用率推定装置１００のRB使用率を推定する動作を図４を参照して説明する。図４は、第１の実施形態の無線資源使用率推定装置１００によるRB使用率推定処理の動作を示すフローチャートである。
【００７５】
最初に、無線通信部１１０が、無線通信で接続する基地局２００に関する第１品質指標、および第２品質指標を取得する（ステップS101）。無線通信部１１０は、取得された第１品質指標と第２品質指標を第１無線資源使用率推定部１２０に入力する。
【００７６】
次いで、第１無線資源使用率推定部１２０は、入力された第１品質指標と第２品質指標とを基に、データ信号と制御信号の無線資源使用率u1を推定する（ステップS102）。
【００７７】
第１無線資源使用率推定部１２０は、推定されたu1を最大値抽出部１３０に入力する。最大値抽出部１３０は、入力されたデータ信号と制御信号の無線資源使用率u1を記憶する。
【００７８】
次いで、最大値抽出部１３０は、記憶されているu1の集合から、データ信号量が最大のときのデータ信号と制御信号の無線資源使用率u1(max)を抽出する（ステップS103）。最大値抽出部１３０は、抽出されたu1(max)を第２無線資源使用率推定部１４０に入力する。
【００７９】
次いで、第２無線資源使用率推定部１４０は、入力されたデータ信号量が最大のときのデータ信号と制御信号の無線資源使用率u1(max)を基に、制御信号の無線資源使用率u2を推定する（ステップS104）。第２無線資源使用率推定部１４０は、推定されたu2をRB使用率推定部１５０に入力する。
【００８０】
次いで、RB使用率推定部１５０は、ステップS102で推定されたu1、およびステップS104で推定されたu2を基に、データ信号の無線資源使用率であるRB使用率uRBを推定する（ステップS105）。
【００８１】
なお、ステップS105で使用されるu1は、u1(max)の抽出に使用されたu1の集合には含まれないu1である。RB使用率uRBを推定した後、無線資源使用率推定装置１００は、RB使用率推定処理を終了する。
【００８２】
［効果の説明］
本実施形態の無線資源使用率推定装置１００は、通信ネットワーク３００と通信可能に接続する基地局２００と無線通信を行う。無線資源使用率推定装置１００は、無線通信部１１０と、第１無線資源使用率推定部１２０と、最大値抽出部１３０と、第２無線資源使用率推定部１４０と、RB使用率推定部１５０とを備える。
【００８３】
無線通信部１１０は、受信された信号の全受信電力を用いて第１品質指標を計測する。また、無線通信部１１０は、参照信号の信号受信電力対干渉雑音比を用いて第２品質指標を計測する。次いで、第１無線資源使用率推定部１２０は、計測された第１品質指標および第２品質指標を基に、データ信号と制御信号の無線資源使用率を推定する。
【００８４】
次いで、最大値抽出部１３０は、データ信号と制御信号の無線資源使用率の集合から、データ信号量が最大のときのデータ信号と制御信号の無線資源使用率を抽出する。次いで、第２無線資源使用率推定部１４０は、データ信号量が最大のときのデータ信号と制御信号の無線資源使用率を基に、制御信号の無線資源使用率を推定する。
【００８５】
次いで、RB使用率推定部１５０は、データ信号と制御信号の無線資源使用率と、制御信号の無線資源使用率とを基に、RB使用率を推定する。以上のように、制御信号の無線資源使用率も用いてRB使用率を推定するため、無線資源使用率推定装置１００は、端末が接続する基地局の無線資源使用率を高精度に推定できる。
【００８６】
以下、本実施形態の無線資源使用率推定装置１００のハードウェア構成の具体例を説明する。図５は、本発明による無線資源使用率推定装置のハードウェア構成例を示す説明図である。
【００８７】
図５に示す無線資源使用率推定装置１００は、CPU(Central Processing Unit)１９１と、主記憶部１９２と、通信部１９３と、補助記憶部１９４とを備える。また、利用者に処理結果または処理内容の経過を提示するための出力部１９５を備えてもよい。
【００８８】
主記憶部１９２は、データの作業領域やデータの一時退避領域として用いられる。主記憶部１９２は、例えばRAM(Random Access Memory)である。
【００８９】
通信部１９３は、無線のネットワークを介して、基地局２００との間でデータを入力および出力する機能を有する。
【００９０】
補助記憶部１９４は、フラッシュメモリ等の記憶装置である。補助記憶部１９４として、例えばSD(Secure Digital)メモリカードが使用される。
【００９１】
出力部１９５は、データを出力する機能を有する。出力部１９５は、例えば液晶ディスプレイ装置等の表示装置である。
【００９２】
また、図５に示すように、無線資源使用率推定装置１００において各構成要素は、システムバス１９６に接続されている。
【００９３】
補助記憶部１９４は、例えば、図２に示す無線通信部１１０、第１無線資源使用率推定部１２０、最大値抽出部１３０、第２無線資源使用率推定部１４０およびRB使用率推定部１５０を実現するためのプログラムを記憶している。また、無線通信部１１０は、通信部１９３を介して、基地局２００から信号を受信する。
【００９４】
なお、無線資源使用率推定装置１００は、ハードウェアにより実現されてもよい。例えば、無線資源使用率推定装置１００は、内部に図２に示すような機能を実現するプログラムが組み込まれたLSI(Large Scale Integration)等のハードウェア部品が含まれる回路が実装されてもよい。
【００９５】
また、無線資源使用率推定装置１００は、図５に示すCPU１９１が図２に示す各構成要素が有する機能を提供するプログラムを実行することによって、ソフトウェアにより実現されてもよい。
【００９６】
ソフトウェアにより実現される場合、CPU１９１が補助記憶部１９４に格納されているプログラムを、主記憶部１９２にロードして実行し、無線資源使用率推定装置１００の動作を制御することによって、各機能がソフトウェアにより実現される。
【００９７】
実施形態２．
［構成の説明］
次に、本発明の第２の実施形態を、図面を参照して説明する。図６は、本発明による無線通信システムの第２の実施形態の構成例を示す説明図である。
【００９８】
図６に示すように、本実施形態の無線通信システム１００１は、第１無線資源使用率推定装置１０１と、第１無線資源使用率推定装置１０２と、基地局２００と、通信ネットワーク３００と、コンテンツ配信サーバ４００と、第２無線資源使用率推定装置５００とを含む。
【００９９】
図６に示すように、第１無線資源使用率推定装置１０１〜１０２は、無線通信により基地局２００と通信可能に接続している。また、第１無線資源使用率推定装置１０１〜１０２は、基地局２００および通信ネットワーク３００を介して、コンテンツ配信サーバ４００、および第２無線資源使用率推定装置５００と通信可能に接続している。
【０１００】
本実施形態の第１無線資源使用率推定装置１０１〜１０２は、基地局２００の無線資源使用率を推定する。推定された無線資源使用率が低いときにのみコンテンツ配信サーバ４００にコンテンツの配信を要求するメッセージを送信することによって、第１無線資源使用率推定装置１０１〜１０２は、コンテンツを無線資源使用のオフピーク時にダウンロードするオフピーク転送技術を実現できる。
【０１０１】
また、本実施形態の第１無線資源使用率推定装置１０１〜１０２は、第１の実施形態の無線資源使用率推定装置１００と異なり、第２無線資源使用率推定装置５００を利用して基地局２００の無線資源使用率を推定することを特徴とする。
【０１０２】
図７は、第１無線資源使用率推定装置１０１の構成例と第２無線資源使用率推定装置５００の構成例を示すブロック図である。図７に示すように、本実施形態の第１無線資源使用率推定装置１０１は、無線通信部１１１と、第１無線資源使用率推定部１２１と、RB使用率推定部１５１とを有する。また、第１無線資源使用率推定装置１０２の構成は、図７に示す第１無線資源使用率推定装置１０１の構成と同様である。
【０１０３】
無線通信部１１１は、基地局２００と無線通信で接続する。無線通信部１１１は、基地局２００から受信した信号を用いて、第１品質指標、第２品質指標をそれぞれ測定する機能を有する。第１無線資源使用率推定部１２１、およびRB使用率推定部１５１は、無線通信部１１１を介して基地局２００と通信できる。
【０１０４】
第１無線資源使用率推定部１２１は、無線通信部１１１で測定された第１品質指標と第２品質指標とに基づいて、データ信号と制御信号の無線資源使用率u1を推定する機能を有する。
【０１０５】
第１無線資源使用率推定部１２１は、無線通信部１１１を介して第２無線資源使用率推定装置５００に推定されたu1を送信する。第１無線資源使用率推定部１２１は、例えば第１の実施形態の第１無線資源使用率推定部１２０と同様にu1を推定する。
【０１０６】
また、図７に示すように、本実施形態の第２無線資源使用率推定装置５００は、通信部５１０と、最大値抽出部５２０と、最小値抽出部５３０と、第２無線資源使用率推定部５４０とを有する。
【０１０７】
通信部５１０は、通信ネットワーク３００と通信可能に接続できる。最大値抽出部５２０、最小値抽出部５３０、および第２無線資源使用率推定部５４０は、通信部５１０を介して通信ネットワーク３００と通信できる。また、通信部５１０は、１台以上の第１無線資源使用率推定装置から、データ信号と制御信号の無線資源使用率u1を受信する。
【０１０８】
最大値抽出部５２０は、通信部５１０が受信したデータ信号と制御信号の無線資源使用率u1の集合から、データ信号量が最大のときのu1であるu1(max)を抽出する機能を有する。最大値抽出部５２０は、例えば第１の実施形態の最大値抽出部１３０と同様にu1(max)を抽出する。
【０１０９】
最小値抽出部５３０は、通信部５１０が受信したデータ信号と制御信号の無線資源使用率u1の集合から、データ信号量が０のときのu1であるu1(min)を抽出する機能を有する。
【０１１０】
式（７）より、データ信号量が０の場合、データ信号量が０のときのu1であるu1(min)は、以下のように計算される。
【０１１１】
u1(min) = u2・1/4  ・・・式（１０）
【０１１２】
制御信号の無線資源使用率u2は、0以上1以下の値である。よって、式（１０）より、u1(min)は、0以上0.25以下の値になる。最小値抽出部５３０は、例えば0以上0.25以下の範囲で頻出するデータ信号と制御信号の無線資源使用率u1をu1(min)と推定する。
【０１１３】
最小値抽出部５３０は、上記のように推定したu1(min)を抽出する。なお、最小値抽出部５３０が抽出するu1(min)は、所定の時間区間で算出された0以上0.25以下の範囲におけるu1の最頻値でもよい。また、u1(min)は、0以上0.25以下の範囲におけるu1の中央値でもよい。また、u1(min)は、0以上0.25以下の範囲におけるu1の平均値、最小値、または下位5％の中央値のいずれかでもよい。
【０１１４】
第２無線資源使用率推定部５４０は、最大値抽出部５２０が抽出したu1(max)、または最小値抽出部５３０が抽出したu1(min)の少なくとも１つを基に、制御信号の無線資源使用率u2を推定する機能を有する。
【０１１５】
u1(max)を用いて制御信号の無線資源使用率u2を推定する場合、第２無線資源使用率推定部５４０は、式（９）にu1(max)を代入することによってu2を推定できる。
【０１１６】
また、式（１０）をu2に関して解くと、以下の式が導出される。
【０１１７】
u2 = 4・u1(min)  ・・・式（１１）
【０１１８】
u1(min)を用いて制御信号の無線資源使用率u2を推定する場合、第２無線資源使用率推定部５４０は、式（１１）にu1(min)を代入することによってu2を推定できる。
【０１１９】
第２無線資源使用率推定部５４０は、例えばu1(max)を式（９）に代入することによって得られたu2の値と、u1(min)を式（１１）に代入することによって得られたu2の値の平均をとることによってu2を推定する。なお、第２無線資源使用率推定部５４０は、u1(max)、またはu1(min)のいずれか１つを用いてu2を推定してもよい。
【０１２０】
本実施形態の最大値抽出部５２０と最小値抽出部５３０は、複数の第１無線資源使用率推定装置から取得された、同一の基地局に関するデータ信号と制御信号の無線資源使用率u1の集合からu1(max)、u1(min)をそれぞれ抽出する。すなわち、第１の実施形態に比べて集合の要素が増えるため、第２無線資源使用率推定部５４０によるu2の推定精度が第１の実施形態よりも向上する。
【０１２１】
［動作の説明］
以下、本実施形態の第１無線資源使用率推定装置１０１のRB使用率を推定する動作を図８を参照して説明する。図８は、第２の実施形態の第１無線資源使用率推定装置１０１によるRB使用率推定処理の動作を示すフローチャートである。
【０１２２】
最初に、無線通信部１１１が、無線通信で接続する基地局２００に関する第１品質指標、および第２品質指標を取得する（ステップS201）。無線通信部１１１は、取得された第１品質指標と第２品質指標を第１無線資源使用率推定部１２１に入力する。
【０１２３】
次いで、第１無線資源使用率推定部１２１は、入力された第１品質指標と第２品質指標とを基に、データ信号と制御信号の無線資源使用率u1を推定する（ステップS202）。
【０１２４】
次いで、第１無線資源使用率推定部１２１は、推定されたデータ信号と制御信号の無線資源使用率u1を、無線通信部１１１、基地局２００、および通信ネットワーク３００を介して第２無線資源使用率推定装置５００に送信する（ステップS203）。
【０１２５】
次いで、RB使用率推定部１５１が、通信ネットワーク３００、基地局２００、無線通信部１１１を介して、第２無線資源使用率推定装置５００から制御信号の無線資源使用率u2を受信する（ステップS204）。
【０１２６】
次いで、RB使用率推定部１５１は、データ信号と制御信号の無線資源使用率u1と、制御信号の無線資源使用率u2とを基に、データ信号の無線資源使用率であるRB使用率uRBを推定する（ステップS205）。RB使用率uRBを推定した後、第１無線資源使用率推定装置１０１は、RB使用率推定処理を終了する。
【０１２７】
次に、本実施形態の第２無線資源使用率推定装置５００の制御信号の無線資源使用率を推定する動作を図９を参照して説明する。図９は、第２の実施形態の第２無線資源使用率推定装置５００による無線資源使用率推定処理の動作を示すフローチャートである。
【０１２８】
最初に、通信部５１０は、基地局２００、通信ネットワーク３００を介して、第１無線資源使用率推定装置１０１〜１０２から、データ信号と制御信号の無線資源使用率u1を受信する（ステップS301）。通信部５１０は、受信されたu1を、最大値抽出部５２０と最小値抽出部５３０に入力する。
【０１２９】
最大値抽出部５２０は、通信部５１０から入力されたデータ信号と制御信号の無線資源使用率u1を記憶する。次いで、最大値抽出部５２０は、記憶されているu1の集合から、データ信号量が最大のときのデータ信号と制御信号の無線資源使用率u1(max)を抽出する（ステップS302）。最大値抽出部５２０は、抽出されたu1(max)を第２無線資源使用率推定部５４０に入力する。
【０１３０】
最小値抽出部５３０は、通信部５１０から入力されたデータ信号と制御信号の無線資源使用率u1を記憶する。次いで、最小値抽出部５３０は、記憶されているu2の集合から、データ信号量が０のときのデータ信号と制御信号の無線資源使用率u1(min)を抽出する（ステップS303）。最小値抽出部５３０は、抽出されたu1(min)を第２無線資源使用率推定部５４０に入力する。
【０１３１】
次いで、第２無線資源使用率推定部５４０は、最大値抽出部５２０が抽出したu1(max)と、最小値抽出部５３０が抽出したu1(min)とを基に、制御信号の無線資源使用率u2を推定する（ステップS304）。
【０１３２】
次いで、第２無線資源使用率推定部５４０は、通信部５１０、通信ネットワーク３００、および基地局２００を介して、第１無線資源使用率推定装置１０１および第１無線資源使用率推定装置１０２に制御信号の無線資源使用率u2を送信する（ステップS305）。制御信号の無線資源使用率u2を送信した後、第２無線資源使用率推定装置５００は、無線資源使用率推定処理を終了する。
【０１３３】
［効果の説明］
本実施形態の無線通信システム１００１は、少なくとも第１無線資源使用率推定装置１０１〜１０２と、第１無線資源使用率推定装置１０１〜１０２が無線接続する基地局２００と、第２無線資源使用率推定装置５００とを含む無線通信システムである。
【０１３４】
第１無線資源使用率推定装置１０１〜１０２は、受信された信号の全受信電力を用いて第１品質指標を計測する。また、第１無線資源使用率推定装置１０１〜１０２は、参照信号の信号受信電力対干渉雑音比を用いて第２品質指標を計測する。
【０１３５】
次いで、第１無線資源使用率推定装置１０１〜１０２は、データ信号と制御信号の無線資源使用率を計算する。第１無線資源使用率推定装置１０１〜１０２は、計算されたデータ信号と制御信号の無線資源使用率を、第２無線資源使用率推定装置５００に送信する。
【０１３６】
第２無線資源使用率推定装置５００は、送信されたデータ信号と制御信号の無線資源使用率の代表値を決定する。次いで、第２無線資源使用率推定装置５００は、決定された代表値を用いて、制御信号の無線資源使用率を計算する。第２無線資源使用率推定装置５００は、計算された制御信号の無線資源使用率を、第１無線資源使用率推定装置１０１〜１０２に送信する。
【０１３７】
第１無線資源使用率推定装置１０１〜１０２は、データ信号と制御信号の無線資源使用率と、受信された制御信号の無線資源使用率とを用いて、データ信号の無線資源使用率を計算する。
【０１３８】
以上のように、第２無線資源使用率推定装置５００が制御信号の無線資源使用率を推定するため、第１無線資源使用率推定装置１０１〜１０２は、端末が接続する基地局の無線資源使用率をより負荷がかからない状態で推定できる。また、代表値がより多くのデータの中から抽出されるため、第２無線資源使用率推定部５４０による制御信号の無線資源使用率の推定精度が、第１の実施形態よりも向上する。
【０１３９】
なお、本実施形態の第１無線資源使用率推定装置１０１〜１０２、および第２無線資源使用率推定装置５００は、例えば、非一時的な記憶媒体に格納されているプログラムに従って処理を実行するCPUによって実現されてもよい。すなわち、無線通信部１１１、第１無線資源使用率推定部１２１、RB使用率推定部１５１、通信部５１０、最大値抽出部５２０、最小値抽出部５３０、および第２無線資源使用率推定部５４０は、例えば、プログラム制御に従って処理を実行するCPUによって実現されてもよい。
【０１４０】
また、本実施形態の第１無線資源使用率推定装置１０１〜１０２における各部、および第２無線資源使用率推定装置５００における各部は、ハードウェア回路によって実現されてもよい。一例として、無線通信部１１１、第１無線資源使用率推定部１２１、RB使用率推定部１５１、通信部５１０、最大値抽出部５２０、最小値抽出部５３０、および第２無線資源使用率推定部５４０が、それぞれLSIで実現される。また、それらが１つのLSIで実現されていてもよい。
【０１４１】
次に、本発明の概要を説明する。図１０は、本発明による基地局負荷推定装置の概要を示すブロック図である。本発明による基地局負荷推定装置１０は、基地局が有する所定の無線資源のうち基地局から送信された信号に含まれるデータ信号と制御信号の送信に使用された無線資源の割合である第１使用率を用いて所定の無線資源のうち制御信号の送信に使用された無線資源の割合である第２使用率を計算する第１計算部１１（例えば、第２無線資源使用率推定部１４０）と、第１使用率と計算された第２使用率とを用いて所定の無線資源のうちデータ信号の送信に使用された無線資源の割合を計算する第２計算部１２（例えば、RB使用率推定部１５０）とを備える。
【０１４２】
そのような構成により、基地局負荷推定装置は、端末が無線通信で接続する基地局の無線資源使用率を高精度に推定できる。
【０１４３】
また、基地局負荷推定装置１０は、基地局と無線通信を行う通信部（例えば、無線通信部１１０）と、通信部が受信した信号の全電力の値と信号に含まれる参照信号および干渉雑音の電力の値とを用いて第１使用率を計算する第３計算部（例えば、第１無線資源使用率推定部１２０）とを備えてもよい。
【０１４４】
そのような構成により、基地局負荷推定装置は、自身が無線通信で接続する基地局の無線資源使用率を高精度に推定できる。
【０１４５】
また、第２計算部１２は、所定の無線資源であるシンボルにおける制御信号用の物理チャネルに割り当てられたリソースエレメント数とデータ信号用の物理チャネルに割り当てられたリソースエレメント数との比率を用いて所定の無線資源のうちデータ信号の送信に使用された無線資源の割合を計算してもよい。
【０１４６】
そのような構成により、基地局負荷推定装置は、LTE通信に対応する基地局の無線資源使用率を高精度に推定できる。
【０１４７】
また、第１計算部１１は、データ信号量が最大であるときの第１使用率を用いて第２使用率を計算してもよい。また、第１計算部１１は、0.75以上1以下の値の中からデータ信号量が最大であるときの第１使用率を選択してもよい。
【０１４８】
また、第１計算部１１は、データ信号量が最小であるときの第１使用率を用いて第２使用率を計算してもよい。また、第１計算部１１は、0以上0.25以下の値の中からデータ信号量が最小であるときの第１使用率を選択してもよい。
【０１４９】
そのような構成により、基地局負荷推定装置は、端末が無線通信で接続する基地局の無線資源使用率をより高精度に推定できる。
【０１５０】
また、図１１は、本発明による基地局負荷推定システムの概要を示すブロック図である。本発明による基地局負荷推定システム２０は、基地局と無線通信を行う端末３０（例えば、第１無線資源使用率推定装置１０１〜１０２）と、基地局と通信可能に接続されている通信装置４０（例えば、第２無線資源使用率推定装置５００）とを含む基地局負荷推定システムであって、端末３０は、基地局が有する所定の無線資源のうち基地局から送信された信号に含まれるデータ信号と制御信号の送信に使用された無線資源の割合である第３使用率を計算する第４計算部３１（例えば、第１無線資源使用率推定部１２１）と、計算された第３使用率を通信装置４０に送信する端末通信部３２（例えば、無線通信部１１１）と、第３使用率と所定の無線資源のうち制御信号の送信に使用された無線資源の割合である第４使用率とを用いて所定の無線資源のうちデータ信号の送信に使用された無線資源の割合を計算する第５計算部３３（例えば、RB使用率推定部１５１）とを有し、通信装置４０は、送信された第３使用率を用いて第４使用率を計算する第６計算部４１（例えば、第２無線資源使用率推定部５４０）と、計算された第４使用率を端末３０に送信する通信部４２（例えば、通信部５１０）とを有する。
【０１５１】
そのような構成により、基地局負荷推定システムは、端末が無線通信で接続する基地局の無線資源使用率を高精度に推定できる。
【０１５２】
また、端末通信部３２は、基地局と無線通信を行い、第４計算部３１は、端末通信部３２が受信した信号の全電力の値と信号に含まれる参照信号および干渉雑音の電力の値とを用いて第３使用率を計算してもよい。
【０１５３】
そのような構成により、基地局負荷推定システムは、RSRQとSINRとを基に基地局の無線資源使用率を推定できる。
【０１５４】
また、第６計算部４１は、データ信号量が最大であるときの第３使用率を用いて第４使用率を計算してもよい。また、第６計算部４１は、0.75以上1以下の値の中からデータ信号量が最大であるときの第３使用率を選択してもよい。
【０１５５】
また、第６計算部４１は、データ信号量が最小であるときの第３使用率を用いて第４使用率を計算してもよい。また、第６計算部４１は、0以上0.25以下の値の中からデータ信号量が最小であるときの第３使用率を選択してもよい。
【０１５６】
そのような構成により、基地局負荷推定システムは、端末が無線通信で接続する基地局の無線資源使用率をより高精度に推定できる。
【符号の説明】
【０１５７】
１０  基地局負荷推定装置
１１  第１計算部
１２  第２計算部
２０  基地局負荷推定システム
３０  端末
３１  第４計算部
３２  端末通信部
３３  第５計算部
４０  通信装置
４１  第６計算部
４２  通信部
１０００、１００１  無線通信システム
１００  無線資源使用率推定装置
１０１、１０２  第１無線資源使用率推定装置
１１０、１１１  無線通信部
１２０、１２１  第１無線資源使用率推定部
１３０、５２０  最大値抽出部
１４０、５４０  第２無線資源使用率推定部
１５０、１５１  RB使用率推定部
１９１  CPU
１９２  主記憶部
１９３、５１０  通信部
１９４  補助記憶部
１９５  出力部
１９６  システムバス
２００  基地局
３００  通信ネットワーク
４００  コンテンツ配信サーバ
５００  第２無線資源使用率推定装置
５３０  最小値抽出部
【図１】
2019087784.tif 000005
【図２】
2019087784.tif 000006
【図３】
2019087784.tif 000007
【図４】
2019087784.tif 000008
【図５】
2019087784.tif 000009
【図６】
2019087784.tif 000010
【図７】
2019087784.tif 000011
【図８】
2019087784.tif 000012
【図９】
2019087784.tif 000013
【図１０】
2019087784.tif 000014
【図１１】
2019087784.tif 000015